(57)【要約】【課題】所定の銘柄の株価を知りたい人にとっては株価情報画面における特定の銘柄の検索が容易になるとともに、企業にとっては株価とともに企業のブランドを株主などに訴求することができる、テレビの映像、ウェブページ、または店頭表示パネルの映像などの株価情報画面を提供する。【解決手段】銘柄およびその株価を表示する株価情報表示画面１であって、銘柄の近傍に、その銘柄に関連する図形もしくは文字または図形および文字の組合せが表示されている。【選択図】図１
2008310629.tif 000002
【特許請求の範囲】
【請求項１】
銘柄およびその株価を表示する株価情報表示画面であって、
銘柄の近傍に、その銘柄に関連する図形もしくは文字または図形および文字の組合せが表示された株価情報表示画面。
【請求項２】
請求項１において、前記図形もしくは文字または図形および文字の組合せが企業ロゴである株価情報表示画面。
【請求項３】
銘柄およびその株価を表示する株価情報表示画面を加工するシステムであって、
複数の銘柄およびそれらの株価を含む株価情報を受信する受信手段と、
特定の銘柄に関連する図形もしくは文字または図形および文字の組合せを記憶する記憶手段と、
受信した株価情報を含む株価情報表示画面を作成する手段であって、前記記憶手段に記憶された図形もしくは文字または図形および文字の組合せからその銘柄に関連するものを読み出して、その銘柄の近傍に、この読み出した図形もしくは文字または図形および文字の組合せを配置した株価情報表示画面を作成する株価情報表示画面作成手段と、
この作成された株価情報表示画面を出力する出力手段とを備えた、株価情報表示画面加工システム。
【請求項４】
請求項３において、前記株価情報表示画面がウェブページであり、前記出力手段がこのウェブページをインターネットを介してウェブブラウザに配信する、株価情報表示画面加工システム。
【請求項５】
請求項３において、前記株価情報表示画面がテレビの映像であり、前記出力手段がこのテレビ映像を配信する、株価情報表示画面加工システム。
【請求項６】
銘柄およびその株価を表示する株価情報表示画面を加工するシステムであって、
複数の銘柄およびそれらの株価を表示させる第１の表示装置と、
この第１の表示装置の各銘柄が表示される位置の近傍にそれぞれ配置された複数の表示部からなる第２の表示装置と、
複数の銘柄およびそれらの株価を含む株価情報を受信する受信手段と、
特定の銘柄に関連する図形もしくは文字または図形および文字の組合せを記憶する記憶手段と、
受信した株価情報を前記第１の表示装置に表示させる第１の出力手段と、
前記第１の表示装置に出力する各銘柄に関連する、図形もしくは文字または図形および文字の組合せを前記記憶手段から読み出して、前記第１の表示装置の各銘柄が表示される位置の近傍に配置された前記表示部にそれぞれ表示させる第２の出力手段とを備えた株価情報表示画面加工システム。
【発明の詳細な説明】
【技術分野】
【０００１】
本発明は、テレビの映像、ウェブページ、または店頭表示パネルの映像などの株価情報表示画面、およびこの株価情報表示画面を加工するシステムに関する。
【背景技術】
【０００２】
株式専門チャンネルなどの番組において放映される株価情報画面には、例えば、複数の銘柄とそれぞれの株価が表示され、この株価情報画面が次々に切り替えられて数千にものぼる銘柄の株価が表示される。インターネットを経由した場合でも同様であり、例えば、銘柄とその株価がウェブページからなる株価情報画面で提供される。証券会社の店頭の表示パネルなどにおいても、同様に株価情報が表示される（特許文献１の図１０参照）。したがって、例えば、所望の銘柄の株価を知りたい人は、この次々に切り換えられる株価情報画面を見て、ここに表示される銘柄つまり文字を読み、所望の銘柄を見つけ出さなければならない。
【特許文献１】特開２００６−２３６１８６号公報
【発明の開示】
【発明が解決しようとする課題】
【０００３】
しかし、文字や数字は図形よりもインパクトが弱いため、所望の銘柄を見つけだそうとする人には、文字で表示された株価は見つけ出しにくい。なお、上記特許文献１の図２に記載のように銘柄および株価とともに図形が表示されるものもあるが、この図形は個々の銘柄の値動きに関するグラフであるため、所望の銘柄を見つけ出そうとする人は、やはり銘柄を示す文字を読んで所望の銘柄を見つけ出さなければならない。
【０００４】
ところで、企業にとって株主の存在はますます重要になっており、企業価値を株価とともにそのブランドによって株主に訴求することが求められている。ここで、例えば企業ロゴが、企業を象徴するものとして用いられており、そのブランドを高める一助となっている。
【０００５】
そこで、本発明は、所定の銘柄の株価を知りたい人にとっては株価情報画面における特定の銘柄の検索が容易になるとともに、企業にとっては株価とともに企業のブランドを株主などに訴求することができる、テレビの映像、ウェブページ、または店頭表示パネルの映像などの株価情報画面、およびこの株価表示画面を加工するシステムを提供することを目的とする。
【課題を解決するための手段】
【０００６】
上記目的を達成するために、本発明に係る株価情報表示画面は、銘柄およびその株価を表示する株価情報表示画面であって、銘柄の近傍に、その銘柄に関連する図形もしくは文字または図形および文字の組合せが表示されている。
【０００７】
ここで、「銘柄の近傍」とは、銘柄を示す文字の周辺であれば、上下左右いずれの位置であってもよい。ただし、銘柄との関連を連想させる程度に近接している。
【０００８】
この構成によれば、株価情報表示画面に銘柄と株価のみでなく、銘柄に関連する図形もしくは文字または図形および文字の組合せが表示されているので、例えば所望の銘柄の株価を知りたい人は、この図形などを探すだけでよく、銘柄を見つけ出しやすい。
【０００９】
一方、企業側からすれば、株価ともにこのような企業名（銘柄）に関連する図形などが表示されることで、企業価値を株主に訴求することができる。すなわち、企業イメージをアピールすることができる。特に、株主などは株価情報を例えば毎日のように頻繁に閲覧するのが一般的であるため、株主などに確実に企業イメージをアピールすることができる。
【００１０】
本発明にかかる株価情報表示画面の好ましい実施形態では、前記図形もしくは文字または図形および文字の組合せが企業ロゴである。
この実施形態によれば、企業ロゴが銘柄の近傍に表示されるので、所望の銘柄の株価を探す人にはとっては銘柄を見つけやすい一方、銘柄とともに企業ロゴが表示されるので、企業ロゴを周知化することができ、さらに企業ロゴによって企業価値を訴求することができる。
【００１１】
前記図形もしくは文字または図形および文字の組合せは、この他にも、その企業が販売する商品の商標であってもよい。さらに、図形もしくは文字または図形および文字の組合せは、静止したものに限られず、動いているものでもよい。すなわち、株価情報表示画面の一部に静止画像または動画像を含む構成であってもよい。
【００１２】
本発明に係る株価情報表示画面加工システムの一構成は、銘柄およびその株価を表示する株価情報表示画面を加工するシステムであって、複数の銘柄およびそれらの株価を含む株価情報を受信する受信手段と、特定の銘柄に関連する図形もしくは文字または図形および文字の組合せを記憶する記憶手段と、受信した株価情報を含む株価情報表示画面を作成する手段であって、前記記憶手段に記憶された図形もしくは文字または図形および文字の組合せからその銘柄に関連するものを読み出して、その銘柄の近傍に、この読み出した図形もしくは文字または図形および文字の組合せを配置した株価情報表示画面を作成する株価情報表示画面作成手段と、この作成された株価情報表示画面を出力する出力手段とを備える。
【００１３】
この構成によれば、従来の株価情報表示である銘柄およびその株価に加えて、記憶手段に記憶したその銘柄に関連する図形もしくは文字または図形および文字の組合せを付加して株価情報表示画面を作成するのみであるため、特に複雑な処理を行うことなく株価情報表示画面を作成することができる。特に、銘柄に関連する図形もしくは文字または図形および文字の組合せは予め記憶手段に記憶されていればよいので、証券取引所のような外部から受け取るデータは従来のままであり、外部とのインタフェースは何ら変わらないので、そのまま用いることができる。
【００１４】
本発明にかかる株価情報表示画面加工システムの好ましい実施形態では、前記株価情報表示画面がウェブページであり、前記出力手段がこのウェブページをインターネットを介してウェブブラウザに配信する。
【００１５】
本発明にかかる株価情報表示画面加工システムの別の好ましい実施形態では、前記株価情報表示画面がテレビの映像であり、前記出力手段がこのテレビ映像を配信する。
【００１６】
本発明に係る株価情報表示画面加工システムの別の構成は、銘柄およびその株価を表示する株価情報表示画面を加工するシステムであって、複数の銘柄およびそれらの株価を表示させる第１の表示装置と、この第１の表示装置の各銘柄が表示される位置の近傍にそれぞれ配置された複数の表示部からなる第２の表示装置と、複数の銘柄およびそれらの株価を含む株価情報を受信する受信手段と、特定の銘柄に関連する図形もしくは文字または図形および文字の組合せを記憶する記憶手段と、受信した株価情報を前記第１の表示装置に表示させる第１の出力手段と、前記第１の表示装置に出力する各銘柄に関連する、図形もしくは文字または図形および文字の組合せを前記記憶手段から読み出して、前記第１の表示装置の各銘柄が表示される位置の近傍に配置された前記表示部にそれぞれ表示させる第２の出力手段とを備える。
【００１７】
この構成によれば、証券会社の店頭などにおける従来の電光掲示板からなる表示パネルにおいて、銘柄表示の近傍の表示部にその銘柄に関連する図形もしくは文字または図形および文字の組合せを表示させるので、訴求効果が大きくなる。したがって、株価に興味がある株主などに限らず、単にこの店頭を通りかかっただけの人の注目も集めることができる。
【発明を実施するための最良の形態】
【００１８】
以下に、本発明の各実施形態を説明する。
本発明の第１実施形態にかかる株価情報表示画面加工システムは、インターネットを介してウェブページからなる株価情報表示画面を加工するものであり、株価情報を提供するサイトのサーバである。このサーバは、例えばハードディスクからなる記憶手段を有し、企業名（銘柄）に対応して企業ロゴを記憶している。株価情報表示画面加工システムは、さらに、証券取引所からそこで取り扱われる銘柄およびそれらの株価を受信する受信手段と、受信した株価情報を含む表示画面を作成する手段と、この作成された株価情報表示画面を出力する出力手段、すなわち株価情報表示画面をサイトで提供する出力手段とを備える。株価情報表示画面作成手段は、サイトで提供するウェブページを作成するものであり、所定の箇所に受信した銘柄および株価を配置するのみでなく、銘柄の近傍に、記憶手段から読み出した企業ロゴを配置する。
【００１９】
このように作成される株価情報表示画面を図１に示す。
株価情報表示画面１は、銘柄を表示する銘柄表示欄１０およびそれぞれの銘柄に対応する株価表示欄２０を有する。株価情報表示画面１は、さらに、企業ロゴ表示欄３０を有する。企業ロゴ表示欄３０は銘柄表示欄１０に隣接して配置されており、各企業ロゴがその企業名（銘柄）の近傍に位置している。したがって、これら図形などがその近傍の銘柄（企業）の企業ロゴであることは明白である。
【００２０】
このように、企業ロゴが銘柄に隣接して表示されているので、所望の銘柄の株価を知りたい人は、この企業ロゴを探すだけでよく、銘柄を見つけやすい。一方、株価とともに企業ロゴが表示されるので、企業側からすれば、企業イメージをアピールすることができる。
【００２１】
次に、本発明の第２実施形態にかかる株価情報表示画面加工システムについて説明する。本システムは、テレビ映像を加工するものであり、例えば経済番組を放送する専門チャンネルの株価情報番組を制作するシステムである。
【００２２】
本実施形態においても、第１実施形態と同様に、証券取引所から受信した株価情報に、企業ロゴを加えてテレビ映像からなる番組を制作する。したがって、テレビに放映される映像は、図１に示したように、銘柄表示欄１０、株価表示欄２０および企業ロゴ表示欄３０を有する株価情報表示画面１である。
【００２３】
ここで、第１実施形態のウェブページの場合は、ウェブページを閲覧する人がウェブブラウザの操作によって画面の切り替えを行うが、テレビ映像の場合、図１に示した株価情報表示画面１は限られた時間しか表示されない。したがって、従来であれば所望の銘柄の株価を知りたい人はテレビ画面を凝視して銘柄を示す文字を読み取らなければならなかったが、このように企業ロゴが表示されると、銘柄を示す文字よりもインパクトの強い企業ロゴが見る人の目に飛び込んでくるので、容易に所望の銘柄を見つけられる。
【００２４】
次に、本発明の第３実施形態にかかる株価情報表示画面加工システムについて説明する。本システムは、証券会社の店頭において放映する映像を加工するものである。証券会社の店頭では、従来から例えば電光掲示板からなる店頭表示パネル（第１の表示装置）で銘柄および株価が表示される。これら各銘柄が表示される位置の近傍にそれぞれ複数の映像表示装置が設けられている（第２の表示装置）。したがって、本実施形態にかかる株価情報表示画面加工システムでは、従来通りに銘柄および株価を表示するとともに、その銘柄に隣接した映像表示装置に、その銘柄の企業ロゴを表示される。企業ロゴの代わりに、例えば、企業のＰＲ映像を放映してもよい。
【００２５】
この他にも、例えば新聞の株価表示ページにおいて、銘柄に隣接して企業ロゴのような企業に関連する図形などを配置してもよい。
【図面の簡単な説明】
【００２６】
【図１】本発明の第１〜３実施形態に係る株価情報表示画面を加工するシステムが作成する株価情報表示画面の図である。
【符号の説明】
【００２７】
１  株価情報表示画面
１０  銘柄表示欄
２０  株価表示欄
３０  図形もしくは文字または図形および文字の組合せ表示欄
【図１】
2008310629.tif 000003